(57)【特許請求の範囲】
【請求項１】
照射光を発する光源と、前記光源の周囲を回転する反射板と、前記反射板を回転駆動させる回転駆動手段とを有する回転灯装置を備え、前記回転灯装置を用いて照射光を周囲に旋回させながら照射させる演出が行えるようになっている遊技機であって、
前記回転灯装置は、前記光源の高さ位置を上下方向に変動させるための光源上下変動手段、前記反射板の高さ位置を上下方向に変動させるための反射板上下変動手段のうち少なくともいずれか一方を備えたことを特徴とする遊技機。
【請求項２】
前記回転灯装置は、前記反射板上下変更手段を備え、
前記反射板上下変動手段は、
回転する前記反射板の上下方向の位置を変更するために波状の回転軌跡を有する回転軌跡体を備え、
前記反射板が、前記回転軌跡体の前記回転軌跡に沿って上下方向に移動しながら回転するように形成され、
且つ、前記回転軌跡体自体を回転可能に形成されていることを特徴とする請求項１記載の遊技機。
【請求項３】
前記反射板は、上下方向にわたって高さ方向の位置で反射態様が異なるように形成され、前記反射板の上下方向への移動、あるいは前記光源の上下方向への移動若しくは双方の上下方向への移動によって、前記光源の光の反射態様を変更可能に形成されていることを特徴とする請求項１又は請求項２に記載の遊技機。
【請求項４】
照射光を発する光源と、前記光源の周囲を回転可能な反射板と、前記反射板を回転駆動させる回転駆動手段とを備え、照射光を周囲に回転させながら照射する回転灯装置であって、
前記光源の高さ位置を上下方向に変動させるための光源上下変動手段、前記反射板の高さ位置を上下方向に変動させるための反射板上下変動手段のうち少なくともいずれか一方を備えたことを特徴とする回転灯装置。
【発明の詳細な説明】
【技術分野】
【０００１】
本発明は、照射光を発する光源と、この光源の周囲を回転可能な反射板と、反射板を回転駆動させる回転駆動手段とを備え、前記反射板が光源の周囲を回転することにより、前記光源が発する照射光を周囲に回転させながら照射光の照射を行うための回転灯装置、及び、この回転灯装置を備えた遊技機に関する。
【背景技術】
【０００２】
従来、光源からの照射光を、回転駆動手段により回転する反射板に反射させることにより、照射光を周囲に回転させる回転灯装置が、一種の警告灯として使用されている。
一方、従来より、スロットマシンなどの遊技機においては、前扉の上部にアーチランプや液晶などが取り付けられており、これらを用いて種々の演出が行われるように形成されている。そして、特許文献１に示すように、遊技機の演出用デバイスとしてかかる回転灯装置、いわゆる回転警告灯を用いる場合もある。
従来の回転灯装置、いわゆる回転警告灯としては、特許文献２に示すようなものがある。
【特許文献１】特開２００４−７３３２５号公報
【特許文献２】特開平７−２８２３６２号公報
【発明の開示】
【発明が解決しようとする課題】
【０００３】
しかし、従来の回転灯装置では、遊技機の演出を行うにあたり、光源を点灯させて、或いは点滅させて、その周囲に反射板を回転させることにより、照射光を回転状態にすることができるが、照射光の照射する方向が３６０度、回転するだけであり、その回転照射に見慣れると、変化に乏しく、遊技者へのアピールを充分に行うことができなくなってくるといった問題点があった。
すなわち、回転灯装置の演出動作が地味なものとなり、遊技者へのアピールを充分行うことができず、点灯状態や点滅状態で反射板を回転させる演出動作以外に効果的な演出動作がなく、効果的な演出動作を増やしたい、という要望がある。
【０００４】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、光源と反射板との相対的な高さ位置を上下方向に変化させて、照射光の上下方向の照射方向を変化させることができて、効果的な演出動作ができるようにした回転灯装置を備えた遊技機を提供しようとするものである。
（請求項２）  請求項２記載の発明は、上記した請求項１記載の発明の目的に加え、次の点を目的とする。すなわち、請求項２記載の発明は、回転軌跡に沿って反射板を上下方向に移動させることができるとともに、反射板の回転周期とは異なる周期で上下方向の移動周期を設定可能な回転灯装置を備えた遊技機を提供しようとするものである。
【０００５】
（請求項３）  請求項３記載の発明は、上記した請求項１又は請求項２記載の発明の目的に加え、次の点を目的とする。すなわち、請求項３記載の発明は、反射板の上下方向の移動にともない、反射態様を変化させて、照射光により変化をつけることができるようにした回転灯装置を備えた遊技機を提供しようとするものである。
【０００６】
（請求項４）  請求項４記載の発明は、次の点を目的とする。すなわち、請求項４記載の発明は、光源と反射板との相対的な高さ位置を上下方向に変化させて、照射光の上下方向の照射方向を変化させることができて、効果的な演出動作ができるようにした回転灯装置を提供しようとするものである。
【課題を解決するための手段】
【０００７】
請求項１記載の発明は、照射光を発する光源(65A)と、前記光源(65A)の周囲を回転する反射板(64)と、前記反射板(64)を回転駆動させる回転駆動手段(350)とを有する回転灯装置(60)を備え、前記回転灯装置(60)を用いて照射光を周囲に旋回させながら照射させる演出が行えるようになっている遊技機(S)であって、前記回転灯装置(60)は、前記光源の高さ位置を上下方向に変動させるための光源上下変動手段、前記反射板(64)の高さ位置を上下方向に変動させるための反射板上下変動手段（上下変動手段110）のうち少なくともいずれか一方を備えたことを特徴とする。
ここで、「遊技機(10)」とは、具体的には、例えば、スロットマシンや、パチンコ機や、その他の遊技機を含むものである。
（作用）  本発明に係る遊技機(S)は、回転灯装置(60)の上下変動手段(110)が、光源(65A)と、反射板(64)との相対的な高さ位置を上下方向に変更させる。これにより、光源(65A)から照射されて、反射板(64)に反射して周囲に照射される光の照射方向を上下方向に大きく変更させることができる。そして、反射板(64)は、回転駆動手段(350)により回転駆動しているため、光源(65A)から発せられた光は、反射板(64)に反射して、光源(65A)の３６０度周囲に回転照射するとともに、上下方向にも移動することになる。結果として、回転移動と上下移動との両方の動きが合算することにより、光源(65A)から発して反射板(64)に反射された反射光の移動軌跡を、上下方向に波を描きながら回転移動する波動状のものにすることができる。したがって、周囲の人の目には、左右方向に移動する光と、上下方向に移動する光とが組み合わされた光が、入ることになり、今までにない効果的な視覚効果を与えることができ、効果的な演出動作が可能となる。
【０００８】
（請求項２）
（特徴点）  請求項２記載の発明は、上記した請求項１記載の発明の特徴点に加え、次の点を特徴とする。すなわち、前記回転灯装置(60)は、前記反射板上下変更手段を備え、前記反射板上下変動手段(110)は、回転する前記反射板(64)の上下方向の位置を変更するために波状の回転軌跡(120)を有する回転軌跡体(130)を備え、前記反射板(64)が、前記回転軌跡体(130)の前記回転軌跡(120)に沿って上下方向に移動しながら回転するように形成され、且つ、前記回転軌跡体(130)自体を回転可能に形成されていることを特徴とする。
（作用）  本発明は、反射板(64)が、回転軌跡体(130)の波状の回転軌跡(120)に沿って移動する。これにより、反射板(64)を、回転軌跡(120)に沿って上下方向に移動させることができる。更に、回転軌跡体(130)自体も、回転可能に形成されている。これにより、反射板(64)の回転速度とは、異なる周期で、回転軌跡体(130)を回転させることができて、反射板(64)の上下方向の移動周期を、反射板(64)の回転周期とは異なる周期に設定することができる。
【０００９】
（請求項３）
（特徴点）  請求項３記載の発明は、上記した請求項１又は請求項２記載の発明の特徴点に加え、次の点を特徴とする。すなわち、前記反射板(64)は、上下方向にわたって高さ方向の位置で反射態様が異なるように形成され、前記反射板(64)の上下方向への移動によって、前記光源(65A)の光の反射態様を変更可能としたことを特徴とする。
ここで、本発明は、反射板(64)の表面がフラットな面と比較して、光の反射角度を急に変更させることができるような表面であれば良いものであって、例えば、微少な凹凸を設けたものや、表面に反射粒を付着したもの等を含むものである。
（作用）  本発明に係る反射板(64)は、上下方向にわたって、高さ方向の位置で反射態様が異なるように形成されている。かかる反射板(64)と、光源(65A)との相対的な高さ位
置を上下方向に変更させることにより、光源(65A)から発した光が反射板(64)に反射する
反射態様を種々異なるものに変化させることができる。結果として、反射板(64)に反射して周囲に照射される照射光に、更に変化を付けることができる。
【００１０】
（請求項４）
（特徴点）  請求項４記載の発明は、次の点を特徴とする。すなわち、照射光を発する光源(65A)と、前記光源(65A)の周囲を回転可能な反射板(64)と、前記反射板(64)を回転駆動させる回転駆動手段(350)とを備え、照射光を周囲に回転させながら照射する回転灯装置(60)であって、前記光源(65A)の高さ位置を上下方向に変動させるための光源上下変動手段、前記反射板(64)の高さ位置を上下方向に変動させるための反射板上下変動手段のうち少なくともいずれか一方を備えたことを特徴とする。
（作用）  本発明は、上下変動手段(110)が、光源(65A)と、反射板(64)との相対的な高さ位置を上下方向に変更させる。これにより、光源(65A)から照射されて、反射板(64)に反射して周囲に照射される反射光の照射方向を上下方向に大きく変更させることができる。そして、反射板(64)は、回転駆動手段(350)により回転駆動しているため、光源(65A)から発せられた光は、反射板(64)に反射して、光源(65A)の３６０度周囲に回転照射するとともに、上下方向にも移動することになる。結果として、回転移動と上下移動との両方の動きが合算することにより、光源(65A)から発して反射板(64)に反射された反射光の移動軌跡を、上下方向に波を描きながら回転移動する波動状のものにすることができる。したがって、周囲の人の目には、左右方向に移動する光と、上下方向に移動する光とが組み合わされた光が、入ることになり、今までにない効果的な視覚効果を与えることができ、効果的な演出動作が可能となる。
【発明の効果】
【００１６】
本発明は、以上のように構成されているので、以下に記載されるような効果を奏する。
（請求項１）  請求項１記載の発明によれば、次のような効果を奏する。すなわち、請求項１記載の発明によれば、光源と反射板との相対的な高さ位置を上下方向に変化させて、照射光の上下方向の照射方向を変化させることができて、効果的な演出動作ができるようにした回転灯装置を備えた遊技機を提供することができる。
（請求項２）  請求項２記載の発明によれば、上記した請求項１記載の発明の効果に加え、次のような効果を奏する。すなわち、請求項２記載の発明によれば、回転軌跡に沿って反射板を上下方向に移動させることができるとともに、反射板の回転周期とは異なる周期で上下方向の移動周期を設定可能な回転灯装置を備えた遊技機を提供することができる。
【００１７】
（請求項３）  請求項３記載の発明によれば、上記した請求項１又は請求項２記載の発明の効果に加え、次のような効果を奏する。すなわち、請求項３記載の発明によれば、反射板の上下方向の移動にともない、反射態様を変化させて、照射光により変化をつけることができるようにした回転灯装置を備えた遊技機を提供することができる。
【００１８】
（請求項４）  請求項４記載の発明によれば、次のような効果を奏する。すなわち、請
求項４記載の発明によれば、光源と反射板との相対的な高さ位置を上下方向に変化させて、照射光の上下方向の照射方向を変化させることができて、効果的な演出動作ができるようにした回転灯装置を提供することができる。
【発明を実施するための最良の形態】
【００１９】
（第１の実施の形態）
本発明を実施するための最良の形態を、回転灯装置60を取り付けた遊技機としてスロットマシンSを例に、図面に基づき説明する。
（図面の説明）
図１乃至図１６は、本発明の形態を示すものである。
図１はスロットマシンの外観斜視図、図２はスロットマシンの分解斜視図、図３は上扉の分解斜視図、図４は上扉上部の外観正面図、図５は上扉上部の縦断面図、図６は回転灯装置の外観斜視図、図７は回転灯装置の分解斜視図、図８は回転灯装置の縦断面図、図９は回転駆動手段の部分拡大図、図１０は反射板の底面図、図１１は反射板の上面図、図１２は反射板の縦断面図、図１３は反射板の外観斜視図、図１４は回転リングの外観斜視図、図１５は回転軌跡体の縦断面図、図１６は回転軌跡溝の展開図をそれぞれ示すものである。
【００２０】
本実施の形態におけるスロットマシンSは、図２に示すように、大きく分けて、正面側に開口部11を有する筐体1、筐体1内部に着脱自在に設けられる交換ユニット2、筐体1の開口部11を開閉可能に塞ぐ前扉3とから構成されている。そして、この前扉3は、筐体1の開口上部13を開閉可能に塞ぐ上扉30、筐体1の開口下部14を開閉可能に塞ぐ下扉40とに分割されている。
なお、ここで、「前面」や「前方向」や「手前方向」とは、交換作業者（或いは遊技者）が、スロットマシンSの正面側の前にスロットマシンSの方に顔を向けて座って、或いは、立っているような場合のかかる交換作業者（或いは遊技者）から見た場合の奥から手前への方向を意味する。したがって、前方向や手前方向とは、スロットマシンSの奥から正面へ向かう方向を意味する。
【００２１】
また、「背面」や「後方向」や「奥方向」とは、交換作業者（或いは遊技者）が、スロットマシンSの正面側にスロットマシンSの方を向いて位置しているような場合のかかる交換作業者（或いは遊技者）から見たときの手前から奥への方向を意味する。したがって、後方向とは、スロットマシンSの正面から奥（後ろ）へ向かう方向を意味する。また、本明細書における「左方向」や「右方向」等の左右方向も、かかるスロットマシンSの前面の方を向いて位置している者から見た場合の右方向や、左方向を意味する。
（筐体1）
筐体1は、図２に示すように、底板15、側板16、天板17及び裏板18からなる前面（遊技者と対峙する正面）側に開口する箱体であり、高さ方向略中央部には、二つの側板16の間に水平方向に中板12が設けられている。そして、底板15には電源ユニット4が固定され、ホッパーユニット5が設置されている。
【００２２】
ここで、電源ユニット4は、特に図示しないが電源装置が内装されていると共に、ホール管理者が種々の設定を行うためのスイッチ等を有している。ホッパーユニット5はメダルを貯留するとともに入賞時等にはメダルを払い出す払い出し装置である。電源ユニット4及びホッパーユニット5は、いわゆる「面替え」に際し、必ずしも交換する必要のないものであり、遊技機交換時には設置されたままにしておけるようになっているものである。
また、正面左側の側板16には、前記上扉30及び下扉40を係合させ、回転自在に支持するためのヒンジ19が、上下方向に間隔をおいて二つずつ設けられている。
（交換ユニット2）
交換ユニット2は、種々の部品を設置あるいは固定するための支持体21と、この支持体21に固定されたリールユニット20及び基板ユニット24とから形成されている。
【００２３】
支持体21は、方形状の金属枠からなり、リールユニット20及び基板ユニット24を筐体内部に着脱自在に固定するとともに、リールユニット20及び基板ユニット24を一体的に取り扱い可能とするものである。なお、支持体21は、他の構成部品（例えば演出用の表示装置）を固定設置可能であってもかまわない。
ここで、リールユニット20は、スロットマシンSの主たる遊技装置であって、周囲に複数の図柄を表示した３個の回転リール23と、特に図示しないが、各回転リール23を回転させるための駆動モータを有している。また、前記基板ユニット24は、基板ケース内に種々の電子部品を搭載した制御基板を収納したものであり、遊技及びスロットマシンSの作動を制御するための主基板24Aと、各種演出を行うための副基板24Bを備えている。
【００２４】
そして、主基板24Aは、スロットマシンSの遊技を司る遊技制御手段を備えているものである。
交換ユニット2は、筐体1の中板12の上に乗せ、開口上部13内部に収納されるものである。そして、交換ユニット2は、筐体1の側板16の内側に設けられたクリップなどの固定装置（図示せず）により筐体1に固定される。
（上扉30）
上扉30は、筐体1のヒンジ19に回転自在に軸支された板状の扉であり、図１に示すように、略中央部に前記回転リール23を正面側から見ることができる図柄表示窓31Aを有し、図柄表示窓31Aの上方には、演出表示を行うための上扉装飾体6が設けられている。すなわち、上扉30は、図３に示すように、上扉30の骨格となる扉枠32に、前記図柄表示窓31Aを有する上パネル31が固定されているとともに、扉枠32の正面側に設けられた装飾体固定部32A,32Bを介して、上扉装飾体6を着脱自在に取り付け可能な構成となっている。
【００２５】
ここで、装飾体固定部32A,32Bは、上扉装飾体6の背面側に設けられたネジ孔を有する扉枠固定部（図示せず）と合致する貫通孔であり、扉枠32の背面側から図示しないネジでネジ止めすることにより、上扉装飾体6を固定することができるものである。
また、図２及び図３に示すように、扉枠32の高さ方向略中央部の左右両端部には、音声を出力するためのスピーカ装置35が裏面側から取り付けられている。そして、扉枠32の正面側に設けられた開口部から、スピーカ装置35のスピーカコーンが正面側に向かって配置されている。
上扉30を閉じると、ヒンジ19の反対側に設けられたラッチ錠により自動的にロックされ、筐体1の開口上部13が密閉される。また、下扉40を解放した状態で、特に図示しないが扉枠32の下側に設けられた解除つまみを下方に引き下げることにより、上扉30のロックが解除されるようになっている。
【００２６】
（下扉40）
下扉40は、筐体1のヒンジ19に回転自在に軸支された上扉30よりも幅厚の扉であり、図１に示すように、下扉40の上部は、スロットマシンSを作動させるためのカウンター状の操作部41となっている。また、下扉40の下部には、ホッパーユニット5から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、前扉3を解錠するためのものである。
【００２７】
なおスロットマシンSは、主基板24Aにより行われる当選判定の抽選結果が所定の当選役に当選し、前記ストップスイッチ45の操作により当選図柄が入賞の態様となるように回転リール23を停止させることができると入賞となり、ホッパーユニット5から遊技メダルが払い出されたり、ボーナスゲームなどの有利な遊技が開始されるようになっている。
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体1の開口下部14が密閉されるものである。また、前記鍵穴40Aに所定の鍵を差し込んで回すと、下扉40のロックが解除され、下扉40を解放することにより、上扉30のロックを解除することができるようになっている。
【００２８】
（上扉装飾体6）
次に、上扉装飾体6の詳細な構成を説明する。ここで、図４は上扉装飾体6の正面図、図５は、図４のＡ−Ａ線断面図をそれぞれ示すものである。
上扉装飾体6は、図１及び図３に示すように、上扉30の正面上部に着脱自在に固定される演出用ブロックであって、中空箱形の本体ベース50に種々の演出用デバイスを取り付けた構造になっている。具体的には、図３に示すように、本体ベース50の正面上側中央部及び正面上側角隅部には電飾体90が、正面下側の左右にはスピーカボックス70がそれぞれ設けられている。また、本体ベース50の内部には、回転灯装置60が設けられ、この回転灯装置60の背面側には、発光面88を有するバックライトユニット80が設けられている。
【００２９】
そして、本体ベース50の正面は、透明なプラスチックにより成型した正面視略Ｙ字型の正面カバー58により覆われており、図４に示すように、この正面カバー58を通して、正面側から前記回転灯装置60のカバー63及びバックライトユニット80の発光面88を見ることができるようになっている。
（本体ベース50）
本体ベース50は、正面側から背面側に貫通する空間部51（図４）を有する中空の枠部材であって、上扉30の扉枠32に取り付けられる方形の固定枠50Cの上部から手前側（本体ベー
ス50を扉枠32に取り付けたときの正面側）に張り出す庇部50Aと、固定枠50Cの下部から手前側に張り出す底部突起50Bを有している。
【００３０】
そして、前記庇部50Aの下方に回転灯装置60を固定すると、図４に示すように、前記凹部52に回転灯装置60のカバー63が位置するようになっており、さらに、本体ベース50の背面側からバックライトユニット80を取り付け、正面側から正面カバー58を取り付けると、空間部51が閉塞されるようになっている。
（回転灯装置60）
前記回転灯装置60は、図４に示すように、本体ベース50の庇部50Aの下方に固定される演出用ユニットである。
前記回転灯装置60は、一方側に開口する本体ケース61と、この本体ケース61の開口を覆うカバー63と、本体ケース61及びカバー63の間に位置して、両者を接続するためのつなぎ部62と、照射光を発する光源65Aを有する光源ユニット200と、光源65Aの周囲を回転可能な反射板64と、反射板64を光源65Aの周囲で回転させるための駆動モータ68を有する回転駆動手段350と、光源65Aを制御する制御部400とを備えている。
【００３１】
前記回転灯装置60は、本体ケース61及びカバー63の内部に、光源ユニット200、反射板64、回転駆動手段350及び制御部400を内装させるとともに、光源65Aからの照射光を、回転駆動手段350により回転する反射板64に反射させて、カバー63を透過した照射光を周囲に回転させることができるように形成されている。
更に、回転灯装置60は、光源65A及び反射板64の相対的な高さ位置を上下方向に変更させるための上下変動手段110を備えている。
前記本体ケース61は駆動モータ68その他の駆動部品を収納するためのケースである。そして、本体ケース61は、端部を閉塞する閉塞板61Eと、閉塞板61Eの周縁から延設されて閉塞板61Eの周縁を覆う周板61Dとを備えている。
【００３２】
前記カバー63は内蔵される光源65Aとしてのランプ65の光を透過させる断面略Ｕ字型の着色カバーである。また、つなぎ部62は、本体ケース61にカバー63を取り付けるためのものである。そして、カバー63の内部に配置された反射板64を回転させることにより、ランプ65の光が投射される方向を回転変位させることができるようになっている。
前記光源65Aは、照射光を周囲に回転させながら照射光の照射を行うために、照射光を発する光源65Aとしてのランプ65である。また、前記反射板64は、そのランプ65の周囲を回転可能なものである。そして、回転駆動手段350は、この反射板64をランプ65の周囲で回転駆動させるためのものである。
【００３３】
前記回転灯装置60は、光源65A（ランプ65）からの照射光を、回転駆動手段350により回転する反射板64に反射させることにより、照射光を周囲に回転させる演出が可能に形成されている。
なお、前記反射板64は、その反射面64Fを、常時、光源65A（ランプ65）方向に向けた状態で、光源65Aの周囲を旋回するように形成されている。
前記回転灯装置60は、光源65A及び回転駆動手段350を別個に制御可能に形成されている。すなわち、回転灯装置60は、光源65Aとしてのランプ65と、回転駆動手段350の駆動モータ68とを、それぞれ別個に制御することができるように形成されている。ここで、別個に制御するとは、ランプ65及び駆動モータ68の作動のオンオフが両者共通して行われるのではなく、ランプ65の点灯及び消灯と、駆動モータ68の回転駆動状態及び停止状態とが、それぞれ別個に制御することができることを意味する。そして、光源65Aと、回転駆動手段350の駆動モータ68とは、異なる電源を使用して、それぞれ別個に制御されている。光源65Aとしてのランプ65は、遊技制御手段からの制御信号に基づいて、ランプ65の点灯及び消灯を制御するための光源制御手段により、点灯及び消灯が制御されるように形成されている。また、回転駆動手段350の駆動モータ68は、遊技制御手段からの制御信号に基づいて、駆動モータ68を制御するための駆動モータ制御手段により、駆動モータ68の回転駆動状態及び停止状態や、回転駆動状態における回転速度の変更が制御されるように形成されている。
【００３４】
そして、回転灯装置60は、光源65Aが点灯した状態で、反射板64を回転させる点灯回転状態と、光源65Aが消灯した状態で、反射板64を回転させる消灯回転状態とを実施可能に形成されている。
前記本体ケース61は、底部（本体ベース50への取り付け時において下方となる側）が開口する筒体であって、底部開口の対向側の表面（本体ベース50への取り付け時において上面となる面）である閉塞板61Eには、立設された板部材に貫通孔を有する位置決め部61Bが二つ並んで設けられている。また、本体ケース61の周板61Dの両側面（本体ベース50への取り付け時において左右となる側面）には、横方向に張り出し貫通孔を有する取り付け部61Cが設けられている。そして、前記位置決め部61Bの貫通孔には、回転灯支持突起59Bを挿入させることができ、位置決め部61Bの貫通孔に回転灯支持突起59Bを挿入させた状態で、回転灯固定部59Cのネジ孔と前記取り付け部61Cの貫通孔が合致するようになっている。
【００３５】
前記回転駆動手段350は、閉塞板61Eから離すようにして本体ケース61に固定したベースプレート61Aと、ベースプレート61Aの反閉塞板61E側に、光源65A及び駆動モータ68の出力軸の回転に連動する減速機構500と、反射板64を所定範囲の上下方向に移動可能な状態で固定するとともに減速機構500を介して駆動モータ68の回転駆動力が伝達される回転リング300とを備えている。
そして、回転駆動手段350は、ベースプレート61Aの閉塞板61E側の位置に制御部400及び駆動モータ68を設けるとともに、駆動モータ68の出力軸を、ベースプレート61Aの反閉塞板61E側に突出させて、減速機構500を連動させるように形成されている。
【００３６】
前記ベースプレート61Aは、本体ケース61の内部に位置して、本体ケース61の下方側に開口する開口部を塞ぐように、嵌め込まれている。
前記駆動モータ68は、ベースプレート61Aの内側（本体ケース61の筒内側）に位置して、モータ軸の先端にモータギア68Aを有している。前記モータギア68Aは、前記ベースプレート61Aから外側（反駆動モータ68側）に突出している。そして、ベースプレート61Aの外面には、前記モータギア68Aと噛み合う減速ギア68Bが取り付けられている。ここで、減速ギア68Bは、大歯車である大径減速ギア68Cと、小歯車である小径減速ギア68Dとが同軸に形成された二段ギアである。この減速ギア68Bの大径減速ギア68Cとモータギア68Aとが噛合する位置に取り付けられている。この減速ギア68Bにより、駆動モータ68の回転軸の回転速度を減速するための減速機構500を形成しているものである。
【００３７】
更に、そして、ベースプレート61Aの外面には、前記モータギア68Aと噛み合う上下変動用減速ギア144が取り付けられている。ここで、上下変動用減速ギア144は、大歯車である上下変動用大径ギア141と、小歯車である上下変動用小径ギア142とが同軸に形成された二段ギアである。この上下変動用減速ギア144の上下変動用大径ギア141とモータギア68Aとが噛合する位置に取り付けられている。この上下変動用減速ギア144により、駆動モータ68の回転軸の回転速度を減速することができるものである。そして、上下変動用減速ギア144の上下変動用小径ギア142は、後述する上下変動手段110の上下変動用リングギア143と噛み合うように形成されている。これにより、駆動モータ68の回転駆動力を、回転軌跡体130へ伝達することができるように形成されている。
【００３８】
前記光源ユニット200は、光源65Aとしてのランプ65と、光源65Aとしてのランプ65を固定するためのソケットである光源固定部材67と、光源固定部材67を固定するための支持部材69とを備えている。
前記光源固定部材67は、いわゆるソケットであり、光源65Aとしてのランプ65の口金をねじ込む受け口により、ランプ65を固定するとともに、ランプ65へ電気を供給するためのものである。
前記支持部材69は、ベースプレート61Aへ締結部材により固定するための固定部69Aと、外側に向かってフランジ状に突出する外向きフランジ部69Bとを備えている。この支持部材69に、ランプ65を差し込むソケットとしての光源固定部材67が固定されている。そして、この支持部材69には、リング状の前記回転リング300が水平方向に回動可能に取り付けられている。
【００３９】
前記回転リング300は、ベースプレート61Aの反閉塞板61E側に位置して、減速機構500を介して、駆動モータ68の出力軸に連動するリングギア66Aと、支持部材69の外向きフランジ部69Bのベースプレート61A側に位置して、内側に向かってフランジ状に突出する内向きフランジ部66Cと、反射板64を所定範囲の上下方向に変動可能な状態で固定する反射板固定部66とを備えている。
前記回転リング300は、反射板64に前記駆動モータ68の回転を伝達して回転させるためのものであり、本体ケース61側にリングギア66Aが形成されている。そして、この回転リング300は、リングギア66Aの反対面の反射板固定部66に反射板64を所定範囲の上下方向に変動可能な状態で固定可能に形成されている。そして、リングギア66Aと前記減速ギア68Bの小径減速ギア68Dが噛み合うことにより、駆動モータ68のモータ軸の回転が伝達され、駆動モータ68の駆動に伴い反射板64が回転リング300と一体で回転するようになっている。
【００４０】
前記回転リング300の反射板固定部66は、円板状の周囲に２個、形成されている孔である。具体的には、反射板固定部66は、内面にねじが切られていない貫通孔である２個の差込孔66Fから形成されている。２個の差込孔66Fは、円周上に互いに略対向するような位置に形成されている。差込孔66Fは、後述する反射板64の固定板部64Bの差込棒64Eが挿入される案内用の孔である。なお、差込棒64Eの先端には、図８及び図１２に示すような、抜け防止のための反射板締結ネジ520が固定されてある。
前記反射板64は、回転中心側に向く凹面を有する反射部64Aと、薄型円筒状の固定板部64Bとから成り、固定板部64Bを回転リング300の反射板固定部66に所定範囲で上下方向に移動可能な状態で固定したときに、固定板部64Bの中央に形成された反射板丸孔64Cから、支持部材69に取り付けたランプ65が突出するようになっている。そして、このランプ65の外周側に前記反射部64Aが位置し、反射板64が回転することにより、反射部64Aがランプ65を中心にして周囲を回るようになっている。
【００４１】
前記反射板64の固定板部64Bの上面側には、同一円周上に２個の反射取り付け部64Dが形成されている。この２個の反射取り付け部64Dは、回転リング300の反射板固定部66と整合する位置に形成されている。具体的には、反射取り付け部64Dは、円柱形の棒状であって、上方に突出する２個の差込棒64Eから形成されている。２個の差込棒64Eは、円周上に互いに略対向するような位置に形成されている。差込棒64Eは、回転リング300の差込孔66Fに挿入して、固定板部64Bを回転リング300に所定範囲で上下方向に移動可能な状態で回転駆動力が伝達するように固定するための位置決め用の棒状突起である。そして、上述したように、差込棒64Eの先端には、図８及び図１２に示すような、抜け防止のための反射板締結ネジ520が固定されてある。そして、図１２に示すように、この反射板締結ネジ520と、差込孔66Fとの間には、間隙が設けてあり、この間隙の長さの範囲内において、反射板64を上下方向に移動させることができるように形成されている。すなわち、反射板締結ネジ520と、差込孔66Fとの間の距離だけ、反射板64が下方に移動することができるように形成されているものである。
【００４２】
前記つなぎ部62は、つなぎ取り付け部62Cを介して本体ケース61に着脱自在に固定される環状部材であり、つなぎ取り付け部62Cの反対側の外周には、カバー63の内側に形成されたカバーネジ部63Aと螺合するつなぎネジ部62Bが形成されている。また、つなぎ部62の円形のつなぎ開口部62Aは、後述する回転軌跡体130や、反射板64の固定板部64Bの直径よりも大きく形成されており、つなぎ部62を本体ケース61に固定した状態で、回転軌跡体130や反射板64が回転可能となるよう形成されている。
そして、回転灯装置60は、位置決め部61Bの貫通孔に回転灯支持突起59Bを貫通させて、本体ベース50に本体ケース61を仮固定した状態で、取り付け部61Cと回転灯固定部59Cを背面側からネジ止めすることにより、庇部50Aの下方に吊り下げ固定される。このようにして固定した回転灯装置60は、つなぎ部62及び本体ケース61が庇部50Aの正面側垂下壁の後ろ側に隠れ、カバー63のみが正面側から視認可能となる。
【００４３】
回転灯装置60を用いた演出としては、通常時はランプ65を消灯しておくとともに反射板64も停止させておき、遊技中の所定時に、ランプ65を点灯させて反射板64を回転させることにより、あるいはランプ65は消灯したまま反射板64のみを回転させることにより、当選や入賞を報知することができる。
本形態では、回転灯装置60の光源65A及び反射板64は、その周囲を共に有色のカバー63で覆われている。光源65Aからの照射光は、透過性があり、且つ有色のカバー63を通過しているため、照射光をカバー63の有色の色が付いたものにすることができる。そして、光源65A及び反射板64が、その周囲をカバー63で覆われているため、カバー63の有色の濃さの程度によっては、反射板64の回転の動きを目立たなくすることができる。これにより、点灯回転状態においては、有色の照射光だけが、周囲に回転するように見せることが可能となり、消灯回転状態よりも、報知能力の高い演出が可能となる。そして、消灯回転状態において、反射板64の回転の様子を、周囲の者に気づかせることは、点灯回転状態よりも難しくすることができる。したがって、回転灯装置60を注意深く観察している者でなければ、消灯回転状態であることを見過ごす可能性も高くなるような、いわゆる報知能力の低い演出態様にすることが可能となる。このように、報知能力の異なる演出態様が可能となる。
【００４４】
なお、ここで、特に図示していないが、回転灯装置60の光源65Aだけの周囲を透光性があり、且つ有色のカバー63で覆い、そのカバー63の周囲を反射板64が回転するように形成しても良いものである。すなわち、カバー63に覆われたランプ65の周囲を、むき出しになった反射板64が回転するものである。このように形成すると、反射板64がカバー63で覆われていないため、カバー63の周囲を回転する反射板64の動きを周囲から直接、見ることができて、反射板64の僅かな回転でも、観察することが可能となる。
（上下変動手段110）  前記上下変動手段110は、光源65A及び反射板64の相対的な高さ位置を上下方向に変更させるためのものである。そして、前記上下変動手段110は、回転する反射板64が、上下方向に移動可能に形成されている。すなわち、本実施の形態における上下変動手段110は、反射板上下変動手段である。
【００４５】
前記上下変動手段110は、回転する反射板64の上下方向の位置を変更するために波状の回転軌跡120を有する回転軌跡体130を備えている。そして、反射板64が、回転軌跡体130の回転軌跡120に沿って上下方向に移動しながら回転するように形成され、且つ、回転軌跡体130自体を回転可能に形成されている。これらについて、更に、詳細に説明する。
ベースプレート61Aの外面に取り付けられた上下変動用減速ギア144と、前記モータギア68Aと噛み合うことにより、駆動モータ68の回転駆動力が上下変動用減速ギア144に伝達される。そして、上下変動用減速ギア144は、大歯車である上下変動用大径ギア141と、小歯車である上下変動用小径ギア142とが同軸に形成された二段ギアであり、この上下変動用大径ギア141とモータギア68Aとが噛合することにより、上下変動用小径ギア142も回転する。そして、上下変動用小径ギア142が、上下変動用リングギア143と噛み合うことにより、その回転駆動力が、上下変動用リングギア143を介して、回転軌跡体130に伝達される。結果として、駆動モータ68の回転駆動力が、回転軌跡体130へ伝達され、回転軌跡体130が回転することができるように形成されている。
【００４６】
回転軌跡体130は、図１５に示すように、全体形状が略円筒状に形成されているものであって、その外周面に段差122を有し、その内面に上下変動用小径ギア142が噛み合うことが可能な上下変動用リングギア143が形成されている。前記段差122は、つなぎ部62の下端面（図８）に臨むように形成されている。一方、カバー63の内面には、内側に向かってリング状に突出する固定用突部63Bが形成されている。この固定用突部63Bの上面（図８）が、回転軌跡体130の上端面に臨むように形成されている。すなわち、回転軌跡体130の段差122から下端面（図８）までの部分が、つなぎ部62の下端（図８）と、固定用突部63Bの上端（図８）との間に回転可能な状態で、挟み込まれるように形成されている。
【００４７】
前記回転軌跡体130は、図１５に示すように、回転軌跡体130の内面に反射板64の上下方向の位置を変更するための回転軌跡120が形成されている。この回転軌跡120は、凹溝状の回転軌跡溝121である。この回転軌跡溝121は、図１５に示すように、上下方向に高さ方向の位置が変更するような波形を描くような形状に形成されている。この回転軌跡溝121の展開図は、図１６に示されるようなものになる。この回転軌跡溝121は、回転軌跡体130の円周周りに１８０度離れた位置での高さ方向の位置が、同一高さとなるように形成されている。
一方、反射板64の固定板部64Bの外周面の２箇所には、外方に向かって突出するスライド凸部301が形成されている。この２つのスライド凸部301は、円周の周囲に１８０度間隔で形成されているものであって、回転軌跡溝121の内部に差し込まれた状態で、スライド可能な形状に形成されているものである。なお、このスライド凸部301は、特に図示していないが、内部にばねを有して、外方から押し込むと内部に向かって進退可能に形成されている。最初の組立工程では、内部に向かって押し込んだ状態で、回転軌跡溝121まで移動して、回転軌跡溝121に入った状態で、突出させることにより、回転軌跡溝121内部で突出した状態のスライド凸部301が入った反射板64及び回転軌跡体130を組み立てることができるものである。
【００４８】
このスライド凸部301が回転軌跡溝121に差し込まれた状態で、反射板64が回転し、回転軌跡体130が回転することにより、反射板64がスライド凸部301を介して、回転軌跡溝121の高さ方向の位置に案内され、上下方向に変動することができるものである。
なお、上記回転軌跡120は、円周方向の１８０度間隔の位置では、高さ方向の位置が同一となるような波形を形成しているため、１８０度間隔に離れた２つのスライド凸部301が、回転軌跡溝121内を回転しても常に、かかる２つのスライド凸部301の高さ方向の位置が同一なって、反射板64が傾斜せずに上下方向の変動をしながら、回転することができるように形成されている。しかし、これに限定されることなく、敢えて、回転軌跡溝121の波形の形状を、１８０度間隔離れた位置の高さ方向の位置が同一とならないように、異なるように形成しても良い。すなわち、２つのスライド凸部301の高さ方向の位置が、異なるように形成して、反射板64の回転により、反射板64が上下方向に加えて、立設する角度も変わるように形成しても良いものである。これにより、反射板64により反射する照射光の照射方向を大きく変更することができて、更に、照射方向を複雑に変更することが可能となり、より効果的な視覚効果を得ることが可能となる。
【００４９】
（スピーカボックス70）
前記スピーカボックス70は、扉枠32に固定されたスピーカ装置35から出力される音声を、スロットマシンSの正面側に向けさせるためのものである。
（バックライトユニット80）
バックライトユニット80は、回転灯装置60の背面側に設置される板状の演出用ユニットであって、ベースケースと、ベースケース内に収納される導光板と、導光板の表面を覆うように前記ベースケースに取り付けられる照射背面板83を有している。前記照射背面板83は、回転灯装置60の背後に位置して、ランプ65からの光が反射板64に反射して、かかる照射光が照射されるように形成されている。
【００５０】
（作用）
本実施の形態は、上下変動手段110が、光源65Aと、反射板64との相対的な高さ位置を上下方向に変更させる。これにより、光源65Aから照射されて、反射板64に反射して周囲に照射される反射光の照射方向を上下方向に大きく変更させることができる。そして、反射板64は、回転駆動手段350により回転駆動しているため、光源65Aから発せられた光は、反射板64に反射して、光源65Aの３６０度周囲に回転照射するとともに、上下方向にも移動することになる。結果として、回転移動と上下移動との両方の動きが合算することにより、光源65Aから発して反射板64に反射された反射光の移動軌跡を、上下方向に波を描きながら回転移動する波動状のものにすることができる。したがって、周囲の人の目には、左右方向に移動する光と、上下方向に移動する光とが組み合わされた光が、入ることになり、今までにない効果的な視覚効果を与えることができ、効果的な演出動作が可能となる。
【００５１】
本実施の形態によれば、上下変動手段110は、反射板64を上下方向に移動させる。これにより、結線等が必要となる光源65Aを動かさずに固定しても、光源65Aと反射板64との相対的な高さ位置を上下方向に変更させることができる。結果として、反射板64に反射する光を上下方向に移動させることができる。
本実施の形態は、反射板64のスライド凸部301が、回転軌跡体130の波状の回転軌跡120である回転軌跡溝121の内部に入り込んだ状態で、反射板64及び回転軌跡体130が回転することにより、スライド凸部301が回転軌跡溝121に沿って移動する。これにより、反射板64を、波形状の回転軌跡120に沿って上下方向に移動させることができる。そして、本形態では、回転軌跡体130自体も、回転可能に形成されている。これにより、反射板64の回転速度とは、異なる周期で、回転軌跡体130を回転させることができて、反射板64の上下方向の移動周期を、反射板64の回転周期とは異なる周期に設定することができる。
【００５２】
（第２の実施の形態）
上述した第１の実施の形態では、反射板64における反射部64Aの反射面64Fは、図１２に示すように、なだらかな曲面から形成された鏡面で形成されていたが、本実施の形態では、かかる反射部64Aの反射面64Fは、上下方向にわたって高さ方向の位置で反射態様が異なるように形成され、反射板64の上下方向への移動によって、光源65Aの光の反射態様を変更可能に形成されているものである。
本実施の形態に係る反射板64の反射面64Fは、上下方向にわたって凹部52または凸部を設け、反射板64の上下方向への移動によって、光源65Aの光の反射角度を変更可能としているものである。
【００５３】
図１７は、第２の実施の形態であって、反射部64Aの反射面64Fの一部縦断面図を示すものであって、（ａ）は、反射三角凸部を有する反射面の一部縦断面図、（ｂ）は、反射半円凸部を有する反射面の一部縦断面図、（ｃ）は、反射波状凸部を有する反射面の一部縦断面図を示すものである。
具体的には、図１７（ａ）に示すように、反射面64Fに縦断面形状が、三角形状となるような反射波状凸部603を形成することができる。なお、この三角形状は、横方向に同一断面となるようにしても良いし、また、三角形状の菱形のディンプル形状のものが多数、散点するようなものであってもよい。
【００５４】
また、図１７（ｂ）に示すように、反射面64Fに縦断面形状が、半円状となるような反射半円凸部602を形成することができる。なお、この半円形状は、横方向に同一断面となるようにしても良いし、また、半球状の凸部或いは凹部のものが多数、散点するようなものであっても良いものである。
また、図１７（ｃ）に示すように、反射面64Fに縦断面形状が、波形状となるような反射波状凸部603を形成することができる。なお、この波形状は、横方向に同一断面となるようにしても良いし、また、半球状の凸部或いは凹部のものが多数、散点するようなものであっても良いものである。
【００５５】
上述したように、本実施の形態は、反射板64の表面がフラットな面と比較して、光の反射角度を急に変更させることができるような表面であれば良いものであって、断面形状からなる微少な凹凸を設けたものでも良いものである。
本実施の形態に係る反射板64は、上下方向にわたって、高さ方向の位置で反射態様が異なるように形成されている。かかる反射板64と、光源65Aとの相対的な高さ位置を上下方向に変更させることにより、光源65Aから発した光が反射板64に反射する反射態様を種々異なるものに変化させることができる。
本実施の形態は、反射板64に上下方向にわたって上述したような凹部または凸部を設けているため、かかる反射板64と、光源65Aとの相対的な高さ位置を上下方向に変更させると、光源65Aから発した光が反射板64表面の凹部または凸部に反射して、反射角度をフラットな面よりも大きく変化させることができる。
【００５６】
すなわち、上述したような反射面64Fであると、反射面64Fの僅かな上下方向の移動だけで、反射面64Fに反射する光の照射方向を大きく変更させることができる。結果として、反射板64に反射して周囲に照射される照射光に、更に変化を付けることができる。
（第３の実施の形態）
上述した第１及び第２の実施の形態では、反射板64だけが上下変動手段110による上下に移動し、光源65Aの上下方向への変動は無く固定されていたものであったが、本実施の形態に係る回転灯装置60は、反射板64を上下方向に移動させる上下変動手段110に加えて、光源65Aを上下方向に移動可能な光源上下変動手段を備えたことを特徴とするものである。
【００５７】
本実施の形態に係る光源上下変動手段は、特に図示していないが、第１の実施の形態で説明した光源ユニット200の上部に上下に進退可能な棒を有するソレノイドを配置し、その棒の先端に光源ユニット200を固定することにより、光源65Aを上下に移動することができるように形成したものである。その他の反射板64が上下方向に移動しながら、回転する機構等は、第１の実施の形態で説明したものと同一であり、それらの説明は省略する。
（作用）  本実施の形態によれば、光源上下変動手段は、光源65Aを上下方向に移動させる。これにより、光源65Aと反射板64との相対的な高さ位置を、光源65Aの上下移動によっても上下方向に変更させることができる。反射板64の上下方向の移動周期と、光源65Aの上下方向の移動周期とが異なるように設定することにより、両者の上下方向の位置が複雑に変更させることができ、結果として、反射板64に反射する光を、更に複雑に上下方向に移動させることができる。
【００５８】
なお、本実施の形態でも、第２の実施の形態で示したような凹凸を有する反射面64Fを有する反射板64を使用しても良いものである。
また、本実施の形態では、第１の実施の形態に加えて、光源65Aも上下に変動させることができるように形成したが、特にこれに限定されることなく、反射板64の上下方向の移動をさせずに、反射板64は回転するだけで、光源65Aだけを上下方向に移動させるように形成しても良いものである。これにより、第１の実施の形態で説明した反射板64の上下方向の移動を実施するための機構が不要となり、構造を簡単なものにすることができる。
【図面の簡単な説明】
【００５９】
【図１】本発明の第１の実施の形態であって、スロットマシンを示す外観斜視図である。
【図２】本発明の第１の実施の形態であって、スロットマシンの分解斜視図である。
【図３】本発明の第１の実施の形態であって、上扉を示す分解斜視図である。
【図４】本発明の第１の実施の形態であって、上扉上部を示す外観正面図である。
【図５】本発明の第１の実施の形態であって、上扉上部を示す縦断面図である。
【図６】本発明の第１の実施の形態であって、回転灯装置を示す外観斜視図である。
【図７】本発明の第１の実施の形態であって、回転灯装置を示す分解斜視図である。
【図８】本発明の第１の実施の形態であって、回転灯装置を示す縦断面図である。
【図９】本発明の第１の実施の形態であって、回転駆動手段を示す部分拡大図である。
【図１０】本発明の第１の実施の形態であって、反射板を示す底面図である。
【図１１】本発明の第１の実施の形態であって、反射板を示す上面図である。
【図１２】本発明の第１の実施の形態であって、反射板を示す縦断面図である。
【図１３】本発明の第１の実施の形態であって、反射板を示す外観斜視図である。
【図１４】本発明の第１の実施の形態であって、回転リングを示す外観斜視図である。
【図１５】本発明の第１の実施の形態であって、回転軌跡体を示す縦断面図である。
【図１６】本発明の第１の実施の形態であって、回転軌跡溝を示す展開図である。
【図１７】本発明の第２の実施の形態に係る反射部の反射面の一部縦断面図であって、（ａ）は反射三角凸部を有する反射面を示す一部縦断面図、（ｂ）は反射半円凸部を有する反射面を示す一部縦断面図、（ｃ）は反射波状凸部を有する反射面を示す一部縦断面図である。
【符号の説明】
【００６０】
S  遊技機                              1  筐体
2  交換ユニット                        3  前扉
4  電源ユニット                          5  ホッパーユニット
6  上扉装飾体                          11  開口部
12  中板                                13  開口上部
14  開口下部                            15  底板
16  側板                                17  天板
18  裏板                                19  ヒンジ
20  リールユニット                      21  支持体
23  回転リール                          24  基板ユニット
24A  主基板                            24B  副基板
30  上扉                                31  上パネル
31A  図柄表示窓                        32  扉枠
32A  装飾体固定部                      32B  装飾体固定部
35  スピーカ装置                        40  下扉
40A  鍵穴                              41  操作部
42  メダル投入口                        43  ベットスイッチ
44  スタートスイッチ                    45  ストップスイッチ
46  メダル皿                            47  下パネル
48  メダルセレクター                    50  本体ベース
50A  庇部                              50B  底部突起
50C  固定枠                            51  空間部
52  凹部                                58  正面カバー
59A  バックライト固定部                59B  回転灯支持突起
59C  回転灯固定部                      59D  バックライト支持部
60  回転灯装置                          61  本体ケース
61A  ベースプレート                    61B  位置決め部
61C  取り付け部                        61D  周板
61E  閉塞板                            62  つなぎ部
62A  つなぎ開口部                      62B  つなぎネジ部
62C  つなぎ取り付け部                  63  カバー
63A  カバーネジ部                      63B  固定用突部
64  反射板                              64A  反射部
64B  固定板部                          64C  反射板丸孔
64D  反射取り付け部                    64E  差込棒
64F  反射面                            65  ランプ
65A  光源                              66  反射板固定部
66A  リングギア                        66C  内向きフランジ部
66F  差込孔                            67  光源固定部材
68  駆動モータ                          68A  モータギア
68B  減速ギア                          68C  大径減速ギア
68D  小径減速ギア                      69  支持部材
69A  固定部                            69B  外向きフランジ部
70  スピーカボックス                    80  バックライトユニット
81  ベースケース                        83  照射背面板
88  発光面                              90  電飾体
110  上下変動手段                      111  上下変動リング
112  移動凸部                          120  回転軌跡
121  回転軌跡溝                        122  段差
130  回転軌跡体                        141  上下変動用大径ギア
142  上下変動用小径ギア                143  上下変動用リングギア
144  上下変動用減速ギア                200  光源ユニット
300  回転リング                        301  スライド凸部
350  回転駆動手段                      400  制御部
500  減速機構                          520  反射板締結ネジ
601  反射三角凸部                      602  反射半円凸部
603  反射波状凸部
【図１】
0005467250.tif 000002
【図２】
0005467250.tif 000003
【図３】
0005467250.tif 000004
【図４】
0005467250.tif 000005
【図５】
0005467250.tif 000006
【図６】
0005467250.tif 000007
【図７】
0005467250.tif 000008
【図８】
0005467250.tif 000009
【図９】
0005467250.tif 000010
【図１０】
0005467250.tif 000011
【図１１】
0005467250.tif 000012
【図１２】
0005467250.tif 000013
【図１３】
0005467250.tif 000014
【図１４】
0005467250.tif 000015
【図１５】
0005467250.tif 000016
【図１６】
0005467250.tif 000017
【図１７】
0005467250.tif 000018